(57)【要約】【課題】内容物の定量吐出が可能で容器形状の自由度の高いスクイズ吐出容器を提供する。【解決手段】スクイズ吐出容器１は、筒状の口部２ａとスクイズによって内側に変形可能な胴部２ｂとを有する外容器２と、外容器２の内側に配置されるとともに内容物Ｃの収容空間Ｓを区画する内容器３と、口部２ａに取り付けられるとともに内容物Ｃの吐出口４ａを有するキャップ４と、胴部２ｂに取り付けられる規制部材５と、を備え、規制部材５は、胴部２ｂに設けた貫通口９を通して胴部２ｂの内側に延在する延在部５ａを有するとともに、延在部５ａにより、スクイズによる胴部２ｂの変形量を規制可能である。【選択図】図１
2019147603.tif 000002
【特許請求の範囲】
【請求項１】
筒状の口部と前記口部に連なるとともにスクイズによって内側に変形可能な胴部とを有する外容器と、
前記外容器の内側に配置されるとともに内容物の収容空間を区画する内容器と、
前記口部に取り付けられるとともに前記内容物の吐出口を有するキャップと、
前記胴部に取り付けられる規制部材と、を備え、
前記規制部材は、前記胴部に設けた貫通口を通して前記胴部の内側に延在する延在部を有するとともに、前記延在部により、スクイズによる前記胴部の変形量を規制可能である、
スクイズ吐出容器。
【請求項２】
一組の前記規制部材を有し、
前記一組の規制部材の前記延在部は、スクイズによる前記胴部の変形により、前記内容器を挟んで互いに突き当たることで前記胴部の変形量を規制可能である、
請求項１に記載のスクイズ吐出容器。
【請求項３】
前記一組の規制部材は、互いに同一の形状及び大きさを有する、請求項２に記載のスクイズ吐出容器。
【請求項４】
複数の前記規制部材を有し、
前記複数の規制部材の前記延在部は、スクイズによる前記胴部の変形量を、互いに異なる変形量に規制可能である、
請求項１〜３のいずれか一項に記載のスクイズ吐出容器。
【請求項５】
前記キャップは、前記収容空間の正圧化によって前記吐出口を開放する一方、前記収容空間の負圧化によっても前記吐出口を開放する弁体を有する、請求項１〜４のいずれか一項に記載のスクイズ吐出容器。
【請求項６】
前記弁体は、前記吐出口としてのスリットを有するスリット弁によって構成されている、請求項５に記載のスクイズ吐出容器。
【請求項７】
前記外容器は、積層剥離容器の外層体によって構成されており、
前記内容器は、前記積層剥離容器の内層体によって構成されている、
請求項１〜６のいずれか一項に記載のスクイズ吐出容器。
【請求項８】
前記口部は、前記口部を径方向に貫通する通気口を有し、
前記キャップは、前記口部に取り付けられることによって前記通気口と外部との連通を遮断する、
請求項７に記載のスクイズ吐出容器。
【発明の詳細な説明】
【技術分野】
【０００１】
本発明は、スクイズ吐出容器に関する。
【背景技術】
【０００２】
口部、胴部及び底部を有するとともに内容物を収容可能なボトル形状の容器本体と、口部に取り付けられるとともに内容物の吐出口を有するキャップと、を備え、胴部をスクイズ（押圧）することで内容物を吐出口から吐出可能なスクイズ吐出容器が知られている。このようなスクイズ吐出容器は、スクイズによる内容物の定量吐出を可能にするための規制部材を備えることがある。例えば特許文献１に記載される規制部材は、口部の内側においてキャップに固定された上端を有する筒状をなしており、当該上端から容器本体の底部に向かって延在している。そして、胴部をスクイズして内側に変形させると、変形した胴部が規制部材に当接する。この当接により、胴部の変形量が規制されて、内容物の定量吐出が可能となる。
【先行技術文献】
【特許文献】
【０００３】
【特許文献１】特開２０１５−１８９５１３号公報
【発明の概要】
【発明が解決しようとする課題】
【０００４】
しかし、特許文献１に記載されるような規制部材を備えるスクイズ吐出容器は、規制部材を口部の内側に配置するために、容器本体の形状が、口部の径が大きい広口ボトル形状に制限される傾向があった。
【０００５】
本発明は、このような問題に鑑み、内容物の定量吐出が可能で容器形状の自由度の高いスクイズ吐出容器を提供することを目的とする。
【課題を解決するための手段】
【０００６】
本発明の一態様に係るスクイズ吐出容器は、
筒状の口部と前記口部に連なるとともにスクイズによって内側に変形可能な胴部とを有する外容器と、
前記外容器の内側に配置されるとともに内容物の収容空間を区画する内容器と、
前記口部に取り付けられるとともに前記内容物の吐出口を有するキャップと、
前記胴部に取り付けられる規制部材と、を備え、
前記規制部材は、前記胴部に設けた貫通口を通して前記胴部の内側に延在する延在部を有するとともに、前記延在部により、スクイズによる前記胴部の変形量を規制可能である。
【０００７】
本発明に係るスクイズ吐出容器は、
一組の前記規制部材を有してもよく、
前記一組の規制部材の前記延在部が、スクイズによる前記胴部の変形により、前記内容器を挟んで互いに突き当たることで前記胴部の変形量を規制可能であってもよい。
【０００８】
本発明に係るスクイズ吐出容器は、前記一組の規制部材が、互いに同一の形状及び大きさを有してもよい。
【０００９】
本発明に係るスクイズ吐出容器は、
複数の前記規制部材を有してもよく、
前記複数の規制部材の前記延在部が、スクイズによる前記胴部の変形量を、互いに異なる変形量に規制可能であってもよい。
【００１０】
本発明に係るスクイズ吐出容器は、前記キャップが、前記収容空間の正圧化によって前記吐出口を開放する一方、前記収容空間の負圧化によっても前記吐出口を開放する弁体を有してもよい。
【００１１】
本発明に係るスクイズ吐出容器は、前記弁体が、前記吐出口としてのスリットを有するスリット弁によって構成されていてもよい。
【００１２】
本発明に係るスクイズ吐出容器は、
前記外容器が、積層剥離容器の外層体によって構成されていてもよく、
前記内容器が、前記積層剥離容器の内層体によって構成されていてもよい。
【００１３】
本発明に係るスクイズ吐出容器は、
前記口部が、前記口部を径方向に貫通する通気口を有してもよく、
前記キャップが、前記口部に取り付けられることによって前記通気口と外部との連通を遮断してもよい。
【発明の効果】
【００１４】
本発明によれば、内容物の定量吐出が可能で容器形状の自由度の高いスクイズ吐出容器を提供することができる。
【図面の簡単な説明】
【００１５】
【図１】本発明の一実施形態に係るスクイズ吐出容器を示す一部断面側面図である。
【図２】図１に示すスクイズ吐出容器をキャップの蓋を開いて傾倒させたときの状態で示す一部断面側面図である。
【図３】図２に示す状態から胴部をスクイズしたときのスクイズの初期状態を示す一部断面側面図である。
【図４】図３に示す状態から胴部をさらにスクイズし、規制部材によってスクイズが規制されたときの状態を示す一部断面側面図である。
【発明を実施するための形態】
【００１６】
以下、図面を参照して、本発明の実施形態に係るスクイズ吐出容器１について詳細に例示説明する。なお、本明細書において、上下方向とは、外容器２の口部２ａの中心軸線Ｏに沿う方向を意味する。また、上方とは、底部２ｃから口部２ａに向かう方向を意味し、下方とは、その反対方向を意味する。また、縦断面とは、口部２ａの中心軸線Ｏを含む断面を意味し、横断面とは、口部２ａの中心軸線Ｏと垂直な断面を意味する。
【００１７】
図１に示すように、本実施形態に係るスクイズ吐出容器１は、外容器２、内容器３、キャップ４及び一組の規制部材５を備えている。
【００１８】
外容器２は、中心軸線Ｏを中心とする略円筒形状の口部２ａと、口部２ａに連なるとともにスクイズによって内側に変形可能な胴部２ｂと、胴部２ｂの下端を閉塞する底部２ｃと、を有している。口部２ａは、下側部分が拡径した２段円筒形状をなしている。口部２ａにおける上側部分の外周面には、キャップ４を取付けるための雄ねじ部６が設けられている。しかし、このような雄ねじ部６による取り付けに替えて、凹凸形状の嵌合による取り付けを可能にする構成を採用してもよい。口部２ａにおける上側部分には、口部２ａを径方向に貫通する通気口７が設けられている。本実施形態では、通気口７は２つ設けられているが、その数は適宜増減が可能である。口部２ａの下側部分の外周面には、ネックリング８が設けられている。しかし、ネックリング８を設けない構成としてもよい。胴部２ｂは、上下方向の全体に亘って横断面が楕円形状をなしている。また、胴部２ｂにおける上部は、口部２ａの下端から下方に向けて漸次拡径しており、胴部２ｂにおける上下方向中間部は、上下方向で径の変化がなく、胴部２ｂにおける下部は、下方に向けて漸次縮径している。
【００１９】
内容器３は、外容器２の内側に配置されるとともに内容物Ｃの収容空間Ｓを区画している。
【００２０】
本実施形態では、外容器２は、デラミネーション容器（デラミ容器）とも称される積層剥離容器の外層体によって構成されており、内容器３は、積層剥離容器の内層体によって構成されている。このような積層剥離容器は、例えば、押出しブロー成形（ＥＢＭ：Extrusion Blow Molding）によって形成することができる。この場合、先ず、相溶性の低い外層体用の合成樹脂材料と内層体用の合成樹脂材料とを共押出して積層パリソンを形成し、この積層パリソンを、金型を用いてブロー成形することにより、外層体の内面に内層体が剥離可能に密着した積層構造の容器を形成することができる。押出しブロー成形の後、口部２ａに通気口７を形成し、口部２ａの上端開口（上端縁によって形成された開口）からの吸引等により内層体を一度収縮させて、内層体の略全体を外層体から剥離させることができる。次いで、胴部２ｂに一組の貫通口９を形成し、当該一組の貫通口９にそれぞれ規制部材５を取り付けることができる。その後、内層体の内部（収容空間Ｓ）に空気を送り込むこと等により内層体の形状を復元させることができる。なお、一組の貫通口９は、通気口７の形成と同時に形成してもよい。また、口部２ａに通気口７を設けずに、一組の貫通口９を形成した後、一組の貫通口９の近傍のみにおいて内層体を外層体から剥離させることによって外容器２及び内容器３を構成してもよい。
【００２１】
積層剥離容器は、有底筒状のプリフォームを対象とする２軸延伸ブロー成形によって構成してもよい。この場合、プリフォームは、外層体を形成する外側層と内層体を形成する内側層とからなる積層プリフォームであってもよい。また、プリフォームは、外層体を形成する外体と、内層体を形成する内体とを互いに組み付けて構成される２重プリフォームであってもよい。
【００２２】
外容器２及び内容器３は、積層剥離容器によって構成しないこともできる。例えば、外容器２及び内容器３は、別個に形成された後に、互いに組み付けられることによって構成されてもよい。
【００２３】
胴部２ｂの上下方向中間部には、その楕円形状の横断面における短軸上に一組の貫通口９が設けられている。一組の貫通口９には、それぞれ規制部材５が取り付けられており、これらで一組の規制部材５を構成している。一組の規制部材５は、本実施形態では、互いに同一の形状及び大きさを有している。また、一組の貫通口９も、本実施形態では、互いに同一の形状及び大きさを有している。一組の貫通口９の各々は、円形状をなしている。一組の規制部材５の各々は、貫通口９を通して胴部２ｂの内側に延在する延在部５ａと、胴部２ｂの外面に沿って配置される板状部５ｂと、を有している。延在部５ａは、円筒形状をなす中空ロッド状に形成されている。板状部５ｂは、貫通口９より大きい直径を有する円板状に形成されている。板状部５ｂの中央は胴部２ｂの内側に向けてやや窪んでおり、使用者が胴部２ｂをスクイズする際に指の腹にフィットするようになっている。すなわち、板状部５ｂはスクイズ時の操作部となっている。板状部５ｂが貫通口９より胴部２ｂの外側に位置することにより、規制部材５が胴部２ｂの内側に抜け落ちることが防止されている。また、延在部５ａの外周面には、胴部２ｂの内周面と係合する円環形状の係合凸部５ｃが設けられている。係合凸部５ｃが胴部２ｂの内周面と係合することにより、規制部材５が胴部２ｂの外側に抜け落ちることが防止されている。貫通口９は、スクイズ時の操作感を向上する（スクイズによる圧力の抜けを防止する）観点から、規制部材５によって封止されていることが好ましい。しかし、貫通口９が規制部材５によって完全に封止されていなかったとしても、内容物は内容器３に収容されているので、貫通口９から内容物が漏れ出ることはない。
【００２４】
キャップ４は、口部２ａに取り付けられるとともに内容物Ｃの吐出口４ａを有している。本実施形態では、キャップ４は、ベース４ｂ、蓋４ｃ、弁体４ｄ及び弁押え部材４ｅを有している。蓋４ｃは、ヒンジ４ｆを介してベース４ｂに連結している。しかし、蓋４ｃをベース４ｂに着脱可能に構成してもよい。ベース４ｂは、口部２ａの雄ねじ部６と螺合する雌ねじ部１０を有する装着筒１１を有している。装着筒１１の上端には、径方向内側に延在する天壁１２が連結しており、天壁１２は、口部２ａの上端に全周に亘って密着している。また、装着筒１１における下部は、口部２ａにおける下側部分の外周面に全周に亘って密着している。したがって、キャップ４は、口部２ａに取り付けられることによって通気口７と外部との連通を遮断している。このように通気口７と外部との連通を遮断することにより、スクイズ時の操作感を向上できるとともに、内容物の吐出後に外部から空気が通気口７を通して外容器２と内容器３との間に流入することが防止される。
【００２５】
天壁１２の下面には、中心軸線Ｏを中心とする円環形状をなすとともに上下方向に連なる２段階の段部、すなわち下段部１２ａ及び上段部１２ｂが設けられている。また、上段部１２ｂの上方には、中心軸線Ｏを中心とする円形状の開口１２ｃが設けられている。弁体４ｄは、下段部１２ａに嵌合によって取り付けられた弁押え部材４ｅにより、上段部１２ｂに固定されている。弁体４ｄは、上段部１２ｂに配置された円環形状をなす外縁部１３と、外縁部１３の内周縁から上方に延在する切頭円錐形状の周壁１４と、周壁１４の上端に連結するとともに下向き球面形状をなす隔壁１５と、を有している。周壁１４及び隔壁１５は、天壁１２の開口１２ｃの径方向内側に位置している。弁押え部材４ｅは、下段部１２ａに配置された円環形状の平板状をなす環状板１６と、環状板１６の内周縁から上方に延在する切頭円錐形状の環状凸部１７と、を有している。環状凸部１７は、弁体４ｄの外縁部１３より径方向内側に位置している。
【００２６】
弁体４ｄは、吐出口４ａとしてのスリット１８を有するスリット弁によって構成されている。なお、スリット１８は平面視で十文字形状をなしているが、その形状は適宜変更が可能である。例えば、スリット１８は平面視で一文字形状又はＹ字形状等をなしていてもよい。また、弁体４ｄは、収容空間Ｓの正圧化によって吐出口４ａを開放する一方、収容空間Ｓの負圧化によっても吐出口４ａを開放するように構成されている。
【００２７】
スクイズ吐出容器１は、例えば以下の要領によって使用することができる。まず、使用者は、図２に示すように、蓋４ｃを開き、外容器２を傾倒させる。このとき、弁体４ｄのスリット１８は閉塞しており、内容物Ｃは吐出口４ａから吐出されない。
【００２８】
次いで、図３に示すように、使用者は、一組の規制部材５の板状部５ｂ（操作部）上を指で摘み、胴部２ｂをスクイズする。このスクイズにより、胴部２ｂが内側に変形して、その内側に位置する内容器３も内側に押されて収容空間Ｓが正圧化し、スリット１８（吐出口４ａ）が開放されて内容物Ｃが吐出される。
【００２９】
そして、さらなるスクイズによって胴部２ｂの変形が進行していくと、最終的に、図４に示されるように、一組の規制部材５の延在部５ａの先端が内容器３を挟んで互いに突き当たり、それ以上の胴部２ｂの変形が規制される。このように、一組の規制部材５の延在部５ａは、スクイズによる胴部２ｂの変形により、内容器３を挟んで互いに突き当たることで胴部２ｂの変形量を規制可能である。したがって、本実施形態に係るスクイズ吐出容器１によれば、比較的大量の定量化された内容物Ｃを、簡便な操作で吐出可能である。
【００３０】
その後、スクイズを解除すると、胴部２ｂが復元し、その復元に伴って内容器３も復元し、収容空間Ｓが負圧化する。この負圧化により、スリット１８（吐出口４ａ）が開放されて、内容物Ｃの吐出量に対応する量の空気が外部から収容空間Ｓに流入する。このように、吐出された内容物Ｃが空気に置換される。
【００３１】
前述した本実施形態は、本発明の実施形態の一例にすぎず、発明の要旨を逸脱しない範囲で種々変更可能であることはいうまでもない。
【００３２】
例えば、一組の規制部材５は、前記の実施形態では互いに同一の形状及び大きさを有しているが、このような構成に限られない。例えば、一組の規制部材５は、一方の延在部５ａが他方の延在部５ａよりも長く形成されていてもよい。また、スクイズ吐出容器１は、前記の実施形態では一組のみの規制部材５を有しているが、複数組の規制部材５を有していてもよい。また、複数組の規制部材５の延在部５ａは、スクイズによる胴部２ｂの変形量を、互いに異なる変形量に規制可能であってもよい。この場合、複数組の規制部材５は、胴部２ｂの横断面における長軸方向に並べて配置することが好ましい。また、スクイズ吐出容器１は、前記の実施形態では一組の規制部材５を有しているが、組をなさない単体の規制部材５を有するとともに、その延在部５ａにより、スクイズによる胴部２ｂの変形量を規制可能であってもよい。この場合、単体の規制部材５の延在部５ａは、スクイズによる胴部２ｂの変形により、対向する胴部２ｂに内容器３を挟んで突き当たることで胴部２ｂの変形量を規制可能であってもよい。また、スクイズ吐出容器１は、単体の規制部材５を複数有していてもよく、複数の規制部材５の延在部５ａは、スクイズによる胴部２ｂの変形量を、互いに異なる変形量に規制可能であってもよい。この場合、複数の規制部材５は、胴部２ｂの横断面における長軸方向に並べて配置することが好ましい。
【００３３】
吐出口４ａは、前記の実施形態では弁体４ｄのスリット１８によって構成されている。しかし、吐出口４ａは、例えば、弁体４ｄのスリット１８より下流側（上側）に開口を区画する筒状の吐出筒を天壁１２に設けることにより、当該開口によって構成されてもよい。また、弁体４ｄは、前記の実施形態ではスリット弁によって構成されているが、このような構成に限られない。
【００３４】
胴部２ｂは、前記の実施形態では楕円形状をなす横断面を有しているが、その形状は適宜変更が可能である。例えば、胴部２ｂは、長方形状その他の扁平形状をなす横断面を有していてもよく、正方形状、正多角形状、円形状その他の非扁平形状をなす横断面を有していてもよい。
【００３５】
規制部材５の延在部５ａは、前記の実施形態では円筒形状をなしているが、その形状は適宜変更が可能である。例えば、延在部５ａは、角筒形状をなしていてもよいし、円柱形状又は角柱形状をなしていてもよい。
【符号の説明】
【００３６】
１  スクイズ吐出容器
２  外容器
２ａ  口部
２ｂ  胴部
２ｃ  底部
３  内容器
４  キャップ
４ａ  吐出口
４ｂ  ベース
４ｃ  蓋
４ｄ  弁体
４ｅ  弁押え部材
４ｆ  ヒンジ
５  規制部材
５ａ  延在部
５ｂ  板状部
５ｃ  係合凸部
６  雄ねじ部
７  通気口
８  ネックリング
９  貫通口
１０  雌ねじ部
１１  装着筒
１２  天壁
１２ａ  下段部
１２ｂ  上段部
１２ｃ  開口
１３  外縁部
１４  周壁
１５  隔壁
１６  環状板
１７  環状凸部
１８  スリット
Ｏ  中心軸線
Ｃ  内容物
Ｓ  収容空間
【図１】
2019147603.tif 000003
【図２】
2019147603.tif 000004
【図３】
2019147603.tif 000005
【図４】
2019147603.tif 000006